(57)【要約】【課題】操作者の感覚に頼ることで生じる誤操作を回避し、ソフトウェアやドライバを変更する必要もなく、ダブルクリック及びドラッグ＆ドロップの操作性を向上させる。【解決手段】  マウス１２は、一対のマウス左右ボタン１０１、１０２に加え、ダブルクリックボタン１０３及びドラッグ＆ドロップボタン１０４を有する。ダブルクリックボタン１０３は、一回の押下でマウス左ボタン１０１が２回連続して押下されたときのダブルクリック動作に対応するＯＮ／ＯＦＦ動作信号に変換して出力する。ドラッグ＆ドロップボタン１０４は、一回目の押下でマウス左ボタン１０１が押下されたままの状態にあるときのドラッグ動作に対応するＯＮ／ＯＦＦ動作信号に、二回目の押下でマウス左ボタン１０１が押下されたままの状態から解除されたときのドロップ動作に対応するＯＮ／ＯＦＦ動作信号に、それぞれ変換して出力する。【選択図】  図２
2006127389.tif 000002
【特許請求の範囲】
【請求項１】
コンピュータ操作用のマウスボタンを有し、前記マウスボタンが２回連続して押下されたときにダブルクリック動作を行い、前記マウスボタンが押下されたままの状態にあるときにドラッグ動作を行い、前記マウスボタンが押下されたままの状態から解除されたときにドロップ動作を行うマウス装置において、
一回の押下で前記マウスボタンのダブルクリック動作に対応するＯＮ／ＯＦＦ動作信号に変換して出力するダブルクリックボタンと、
一回目の押下で前記マウスボタンのドラッグ動作に対応するＯＮ／ＯＦＦ動作信号に、二回目の押下で前記マウスボタンのドロップ動作に対応するＯＮ／ＯＦＦ動作信号に、それぞれ変換して出力するドラッグ＆ドロップボタンとを有することを特徴とするマウス装置。
【請求項２】
前記ドラッグ＆ドロップボタンは、一回目の押下でＯＮ状態に固定され、二回目の押下で前記ＯＮ状態からＯＦＦ状態へ開放されるオルタネイトスイッチを用いたボタンであることを特徴とする請求項１記載のマウス装置。
【請求項３】
前記ダブルクリックボタンは、一回の押下で前記ダブルクリック動作に対応する２つのパルス信号を出力する２パルス出力回路を有するボタンであることを特徴とする請求項１又は２記載のマウス装置。
【請求項４】
前記ダブルクリックボタン及び前記ドラッグ＆ドロップボタンは、前記マウスボタンと同一面に配置されていることを特徴とする請求項１から３のいずれか１項に記載のマウス装置
【請求項５】
コンピュータ機から成る情報処理端末と、
前記情報処理端末に接続され、且つ、コンピュータ操作用のマウスボタンを有し、前記マウスボタンが２回連続して押下されたときにダブルクリック動作を行い、前記マウスボタンが押下されたままの状態にあるときにドラッグ動作を行い、前記マウスボタンが押下されたままの状態から解除されたときにドロップ動作を行うマウス装置とを備えたコンピュータシステムにおいて、
前記マウス装置は、
一回の押下で前記マウスボタンのダブルクリック動作に対応するＯＮ／ＯＦＦ動作信号に変換して前記情報処理端末に出力するダブルクリックボタンと、
一回目の押下で前記マウスボタンのドラッグ動作に対応するＯＮ／ＯＦＦ動作信号に、二回目の押下で前記マウスボタンのドロップ動作に対応するＯＮ／ＯＦＦ動作信号に、それぞれ変換して前記情報処理端末に出力するドラッグ＆ドロップボタンとを有することを特徴とするコンピュータシステム。
【請求項６】
前記ドラッグ＆ドロップボタンは、一回目の押下でＯＮ状態のまま固定され、二回目の押下で前記ＯＮ状態からＯＦＦ状態へ開放されるオルタネイトスイッチを用いたボタンであることを特徴とする請求項５記載のコンピュータシステム。
【請求項７】
前記ダブルクリックボタンは、一回の押下で前記ダブルクリック動作に対応する２つのパルス信号を出力する２パルス出力回路を有するボタンであることを特徴とする請求項５又は６記載のコンピュータシステム。
【請求項８】
前記ダブルクリックボタン及び前記ドラッグ＆ドロップボタンは、前記マウスボタンと同一面に配置されていることを特徴とする請求項５から７のいずれか１項に記載のコンピュータシステム。
【発明の詳細な説明】
【技術分野】
【０００１】
本発明は、マウス装置及びこれを用いたコンピュータシステムに係り、特にダブルクリック及びドラッグ＆ドロップ動作におけるマウス操作の工夫に関する。
【背景技術】
【０００２】
一般に、コンピュータシステムで使用されるワークステーションやＰＣ（Personal Computer）等の情報処理端末では、コンピュータ操作用の入力器として、キーボードのほか、マウスに代表されるポインティングデバイスが使用されている。マウスは、通常、マウス左ボタン等のマウスボタンを短時間に２回連続して押下したときに情報処理端末の表示装置の画面上に表示されているアイコン等の表示対象に対してダブルクリック動作を行うと共に、マウスボタンを押下したままの状態で同画面上に表示されているファイルやデータ等の表示対象をドラッグし、その押下状態からマウスボタンを解除したときに同画面上でドラッグされている表示対象をその画面上の所望位置にドロップするドラッグ＆ドロップ動作を行うようになっている。
【０００３】
なお、本発明に関連する先行技術しては、以下の特許文献１〜５がある。
【特許文献１】特開２０００−２２７８３４号公報
【特許文献２】特開２００３−２１６３２８号公報
【特許文献３】特開２００１−１６６８７８号公報
【特許文献４】特開平０８−０６３２８４号公報
【特許文献５】特開平１０−１９８５１４号公報
【発明の開示】
【発明が解決しようとする課題】
【０００４】
しかしながら、従来の情報処理端末で使用されるマウスでは、ダブルクリックを行う上で、短時間に２回のクリック動作が難しいという問題点があった。また、ドラッグ＆ドロップにおいても、マウス左ボタンを押下しつつマウスをドロップ位置まで移動せねばならず、同様に操作が難しいという問題点があった。
【０００５】
この対策の一案として、マウス左ボタンを２段階の感圧スイッチにして奥まで押し込んだときにダブルクリックとするタイプのマウスや、ソフトウェアやドライバによりクリックし続ける時間の違いによりダブルクリックを１回の押下で実施可能なマウスも知られている。しかし、前者の場合は、マウス左ボタンの押した圧力の違いを判断する方法が感覚に頼るほかなく、誤操作する可能性があり、後者の場合も、ボタンをクリックし続ける時間が感覚に頼るほかなく、同様に誤操作する可能性があり、また、コンピュータ側では、ＯＳや使用するソフトウェアの変更の度にソフトウェアやドライバを変更する必要があった。
【０００６】
このような事情は、特許文献１〜５においても同様であった。
【０００７】
本発明は、このような従来の事情を考慮してなされたもので、操作者の感覚に頼ることで生じる誤操作を回避し、ソフトウェアやドライバを変更する必要もなく、ダブルクリック及びドラッグ＆ドロップの操作性を向上させることができるマウス装置及びこれを用いたコンピュータシステムを提供することを目的とする。
【課題を解決するための手段】
【０００８】
上記目的を達成するため、本発明に係るマウス装置は、コンピュータ操作用のマウスボタンを有し、前記マウスボタンが２回連続して押下されたときにダブルクリック動作を行い、前記マウスボタンが押下されたままの状態にあるときにドラッグ動作を行い、前記マウスボタンが押下されたままの状態から解除されたときにドロップ動作を行うマウス装置において、一回の押下で前記マウスボタンのダブルクリック動作に対応するＯＮ／ＯＦＦ動作信号に変換して出力するダブルクリックボタンと、一回目の押下で前記マウスボタンのドラッグ動作に対応するＯＮ／ＯＦＦ動作信号に、二回目の押下で前記マウスボタンのドロップ動作に対応するＯＮ／ＯＦＦ動作信号に、それぞれ変換して出力するドラッグ＆ドロップボタンとを有することを特徴とする。
【０００９】
本発明に係るマウス装置において、前記ドラッグ＆ドロップボタンは、一回目の押下でＯＮ状態に固定され、二回目の押下で前記ＯＮ状態からＯＦＦ状態へ開放されるオルタネイトスイッチを用いたボタンであってもよい。また、前記ダブルクリックボタンは、一回の押下で前記ダブルクリック動作に対応する２つのパルス信号を出力する２パルス出力回路を有するボタンであってもよい。さらに、前記ダブルクリックボタン及び前記ドラッグ＆ドロップボタンは、前記マウスボタンと同一面に配置されていてもよい。
【００１０】
本発明に係るコンピュータシステムは、コンピュータ機から成る情報処理端末と、前記情報処理端末に接続され、且つ、コンピュータ操作用のマウスボタンを有し、前記マウスボタンが２回連続して押下されたときにダブルクリック動作を行い、前記マウスボタンが押下されたままの状態にあるときにドラッグ動作を行い、前記マウスボタンが押下されたままの状態から解除されたときにドロップ動作を行うマウス装置とを備えたコンピュータシステムにおいて、前記マウス装置は、一回の押下で前記マウスボタンのダブルクリック動作に対応するＯＮ／ＯＦＦ動作信号に変換して前記情報処理端末に出力するダブルクリックボタンと、一回目の押下で前記マウスボタンのドラッグ動作に対応するＯＮ／ＯＦＦ動作信号に、二回目の押下で前記マウスボタンのドロップ動作に対応するＯＮ／ＯＦＦ動作信号に、それぞれ変換して前記情報処理端末に出力するドラッグ＆ドロップボタンとを有することを特徴とする。
【００１１】
本発明に係るコンピュータシステムにおいて、前記ドラッグ＆ドロップボタンは、一回目の押下でＯＮ状態に固定され、二回目の押下で前記ＯＮ状態からＯＦＦ状態へ開放されるオルタネイトスイッチを用いたボタンであってもよい。また、前記ダブルクリックボタンは、一回の押下で前記ダブルクリック動作に対応する２つのパルス信号を出力する２パルス出力回路を有するボタンであってもよい。さらに、前記ダブルクリックボタン及び前記ドラッグ＆ドロップボタンは、前記マウスボタンと同一面に配置されていてもよい。
【発明の効果】
【００１２】
本発明によれば、ダブルクリック／ドラッグ＆ドロップボタンを追加したマウスにより、ダブルクリックボタンを１回押下するだけで、ダブルクリックが行え、また、ドラッグ＆ドロップボタンを１回目にボタンを押下すると、ファイルやデータをドラッグし、２回目のボタン押下によりドラッグしたファイルやデータをドロップする、ドラッグ＆ドロップ動作を誤動作無く行うことができる。
【００１３】
また、こういった機能をマウス側に持たすことにより、コンピュータ側でのソフトウェアやドライバの改造が不要である。
【００１４】
このようにして、操作者の感覚に頼ることで生じる誤操作を回避し、ソフトウェアやドライバを変更する必要もなく、ダブルクリック及びドラッグ＆ドロップの操作性を大幅に向上させることができる。
【発明を実施するための最良の形態】
【００１５】
以下、本発明に係るマウス装置及びこれを用いたコンピュータシステムを実施するための最良の形態について、添付図面を参照して詳細に説明する。
【００１６】
本実施形態は、コンピュータの操作を行うマウス装置に関するもので、操作が難しいダブルクリックやドラッグ＆ドロップに対し、それぞれ専用ボタンを追加することにより、ダブルクリックボタンを１回のみ押下することによりマウス左ボタンのダブルクリックと同じ効果を持ち、またドラッグ＆ドロップボタンにより１回目のボタン押下でマウス左ボタンが押下状態のままと同じ効果を持ち、ファイルやデータをドラッグし、２回目の押下によりマウス左ボタンの押下状態が解除されるのと同じ効果を持ち、ドラッグしたファイルやデータをドロップするドラッグ＆ドロップ動作と同じ効果を持つものである。
【００１７】
図１は、本実施形態に係るマウスを用いたコンピュータシステムの構成図である。
【００１８】
図１に示すコンピュータシステムは、コンピュータ操作者２０により操作されるコンピュータ１０として、情報処理端末１１と、この情報処理端末１１に有線（通信ケーブル）又は無線（赤外線等）にて通信可能に接続されるダブルクリック／ドラッグ＆ドロップボタン付きマウス（以下、単に「マウス」と呼ぶ。）１２とを主要部に備えている。
【００１９】
情報処理端末１１は、例えばサーバ、ワークステーション、ＰＣ等のコンピュータ機（例えば、ＣＰＵ（Central Processing Unit）、ＲＯＭ（Read Only Memory）／ＲＡＭ（Random Access Memory）、ハードディスク等のディスク装置、表示装置、及びキーボード、通信インターフェース等の内部構成を持つ。）から成るものであり、コンピュータ操作者２０が情報処理端末１１内に予め設定されたＯＳ（Operating System）や各種アプリケーションプログラム等の各ソフトウェアやファイルの起動等の操作を行うためにマウス１２を使用する際、マウス１２からの各種動作信号に基づいて、マウス１２の専用ボタン（後述参照）の動作を、予め設定されたマウス１２用のデバイスドライバ等のソフトウェア（図示しない）により制御する機能を有する。
【００２０】
図２は、マウス１２の各ボタンの配列例を、図３は、マウス１２の内部構成例をそれぞれ示す。図３の例では、ボタン以外の構成要素については省略している。
【００２１】
図２及び図３に示すマウス１２は、コンピュータ操作者２０が手で保持して操作しやすい形状のマウス本体１００を有し、このマウス本体１００の正面前方側に、一対のマウス左右ボタン１０１、１０２のほか、専用ボタンとして、ダブルクリックボタン１０３と、ドラッグ＆ドロップボタン１０４とが搭載されている。
【００２２】
マウス左右ボタン１０１、１０２は、図２に示すように、マウス本体１００上の正面前方の左右位置に対を成して互いに隣接して配置されている。図３に示すように、マウス左ボタン１０１の押下（左クリック）によるＯＮ／ＯＦＦに応じた動作信号Ｓ１と、マウス右ボタン１０２の押下（右クリック）によるＯＮ／ＯＦＦに応じた動作信号Ｓ２とは、所定通信規格（本例では有線又は無線を問わない）の通信Ｉ／Ｆ（インターフェース）１０５を介して情報処理端末１１に供給される。
【００２３】
図４（ａ）は、ダブルクリックボタン１０３の１回目／２回目押下時の動作を説明するタイムチャートの例、図４（ｂ）は、ダブルクリックボタン１０３の押下時の動作を説明するタイムチャートの例をそれぞれ示す。
【００２４】
マウス左ボタン１０１では、ＯＮ／ＯＦＦ動作信号Ｓ１を通信Ｉ／Ｆ１０５経由で情報処理端末１１側に供給することにより、所定時間内に２回連続して押下したときにダブルクリック動作を行うと共に、押下したままの状態で情報処理端末１１の表示装置（図示しない）の画面上のファイルやデータ等の表示対象をドラッグし、その押下状態から解除したときに画面上でドラッグされている表示対象をその画面上の所定位置にドロップするドラッグ＆ドロップ動作を行うようになっている。
【００２５】
ダブルクリックボタン１０３は、マウス本体１００上の正面前方側の適宜位置、例えば図中の例ではマウス左ボタン１０１と同一面でその後方側に配置されている。このダブルクリックボタン１０３は、１回の押下でマウス左ボタン１０１を２回クリック（ダブルクリック）したときと同じ機能を持つ、例えば１つのパルスを入力するとその動作タイミングに同期して所定パルス幅及び周期をもつ２つのパルスを出力する２パルス出力回路付きスイッチを使用したボタンから構成されている。
【００２６】
図４（ｂ）のタイムチャートを参照すると、このダブルクリックボタン１０３は、１回の押下（１回のＯＮ動作）でマウス左ボタン１０１のダブルクリック動作（２回のＯＮ動作）に対応する動作信号Ｓ１に変換して、通信Ｉ／Ｆ（インターフェース）１０５を介して情報処理端末１１に供給可能となっている。
【００２７】
ドラッグ＆ドロップボタン１０４は、マウス本体１００上の正面側の適宜位置、例えば図中の例ではマウス左ボタン１０１と同一面でマウス右ボタン１０２との境界部の後方側に配置されている。このドラッグ＆ドロップボタン１０４は、１回目の押下でマウス左ボタン１０３がＯＮのままの状態にあるときと同じ機能を持ち、２回目の押下でマウス左ボタン１０３がＯＦＦになる状態と同じ機能を持つオルタネイトスイッチ等を使用したボタンから構成されている。
【００２８】
図４（ａ）のタイムチャートを参照すると、ドラッグ＆ドロップボタン１０４は、１回目の押下でマウス左ボタン１０１のドラッグ動作（ＯＮ状態のロック）に対応する動作信号Ｓ１に、また２回目の押下でマウス左ボタン１０１のドロップ動作（ＯＮ状態からＯＦＦへの開放）に対応する動作信号Ｓ１に変換して、通信Ｉ／Ｆ１０５を介して情報処理端末１１に供給可能となっている。
【００２９】
コンピュータ操作者２０は、コンピュータ１０の操作を行う操作者であり、コンピュータ１０上の各ソフトウェアやファイルの起動、操作等を行うために、ダブルクリックやドラッグ＆ドロップ操作をマウス１０２内のダブルクリックボタン１０３並びにドラッグ＆ドロップボタン１０４により行う。即ち、コンピュータ操作者２０がソフトウェアの起動やファイルの読み出し等でダブルクリックを行いたい場合は、ダブルクリックボタン１０３を一回押下すればよい。また、コンピュータ操作者２０がファイルやデータの移動等でドラッグ＆ドロップを行いたい場合は、ドラッグ＆ドロップボタン１０４により１回目のボタン押下でファイルやデータをドラッグし、２回目のボタン押下でドラッグしたファイルやデータをドロップすればよい。
【００３０】
次に、本実施形態の全体動作について、図面を参照して詳細に説明する。
【００３１】
図５は、ダブルクリックボタン１０３を用いた場合の動作シーケンス（ステップＡ１〜Ａ３）を説明するフローチャートである。
【００３２】
図５において、コンピュータ操作者２０は、ソフトウェアの起動やファイルの読み出し等のためにダブルクリックを行いたい場合、マウス１２を使用して情報処理端末１１の表示画面上でソフトウェアやファイル等の表示対象を指定して、ダブルクリックボタン１０３を押下する（ステップＡ１）。
【００３３】
すると、コンピュータ操作者２０によりダブルクリックボタン１０３の押下を受け付けたマウス１２は、図４（ｂ）のタイムチャートに示すとおり、マウス左ボタン１０１を２回押下（「マウス左クリック２回押下」、即ちダブルクリック）したときと等価なＯＮ／ＯＦＦ動作信号Ｓ１に変換し、その動作信号Ｓ１を通信Ｉ／Ｆ１０５を介して情報処理端末１１側へ送信する（ステップＡ２）。
【００３４】
これにより、マウス１０２側からダブルクリックボタン１０３を用いてマウス左クリック２回押下に対応するＯＮ／ＯＦＦ動作信号Ｓ１を受信した情報処理端末１１では、その動作信号Ｓ１に応じて、ＣＰＵ（図示しない）がマウス１２用のデバイスドライバ等のソフトウェアを実行することにより、マウス１２にて指定されたソフトウェアの起動やファイルの読み出し等の動作を行う（ステップＡ３）。
【００３５】
図６は、ドラッグ＆ドロップボタン１０４を用いた場合の動作シーケンス（ステップＡ４〜Ａ９）を説明するフローチャートである。
【００３６】
図６において、コンピュータ操作者２０は、ファイルやデータの移動等のためにドラッグ＆ドロップを行いたい場合、ドラッグの方法として、マウス１２を使用して情報処理端末１１の表示画面上でドラッグしたいファイルやデータの表示場所にマウスカーソルを持っていき、その場所でドラッグ＆ドロップボタン１０４を１回押下する（ステップＡ４）。
【００３７】
すると、コンピュータ操作者２０によりドラッグ＆ドロップボタン１０４の１回目の押下を受け付けたマウス１２は、図４（ａ）のタイムチャートに示すとおり、マウス左ボタン１０１のクリックをＯＮした状態（「マウス左クリックＯＮ状態」）に対応するロック状態（ドラッグ状態）と等価なＯＮ／ＯＦＦ動作信号Ｓ１に変換し、通信Ｉ／Ｆ１０５を介して情報処理端末１１側へ送信する（ステップＡ５）。
【００３８】
これにより、マウス１２側からドラッグ＆ドロップボタン１０４を用いてマウス左クリックＯＮ状態に対応するＯＮ／ＯＦＦ動作信号Ｓ１を受信した情報処理端末１１は、その動作信号Ｓ１に応じて、ＣＰＵ（図示しない）がマウス１２用のデバイスドライバ等のソフトウェアを実行することにより、ファイルやデータのドラッグ動作を行う（ステップＡ６）。
【００３９】
次いで、ドロップの方法として、マウス１０２を使用して情報処理端末１１の表示画面上でドラッグされているファイルやデータをドロップしたい場所にマウスカーソルを持っていき、その場所でドラッグ＆ドロップボタン１０４を１回押下する（ステップＡ７）。
【００４０】
すると、コンピュータ操作者２０によりドラッグ＆ドロップボタン１０４の２回目の押下を受け付けたマウス１２は、図４（ａ）のタイムチャートに示すとおり、マウス左ボタン１０１のクリックをＯＦＦした状態（「マウス左クリックＯＦＦ状態」）に対応するドロップ状態と等価なＯＮ／ＯＦＦ動作信号Ｓ１に変換し、通信Ｉ／Ｆ１０５を介して情報処理端末１１へ送信する（ステップＡ８）。
【００４１】
これにより、マウス１２よりマウス左クリックＯＦＦ状態に応じたＯＮ／ＯＦＦ動作信号Ｓ１を受信した情報処理端末１１は、その動作信号Ｓ１に応じて、ＣＰＵ（図示しない）がマウス１２用のデバイスドライバ等のソフトウェアを実行することにより、上記ステップＡ６でドラッグしたファイルやデータのドロップ動作を行う（ステップＡ９）。
【００４２】
従って、本実施形態のよれば、ダブルクリックボタン１０３及びドラッグ＆ドロップボタン１０４を専用ボタンとして追加したマウス１２により、ダブルクリックボタン１０３を１回押下することにより、ダブルクリックが容易に行え、ドラッグ＆ドロップボタン１０４の１回目のボタン押下でファイルやデータをドラッグし、２回目のボタン押下によりドラッグしたファイルやデータをドロップする、ドラッグ＆ドロップ動作が行える。
【００４３】
また、このような機能をマウス１２側に持たすことにより、コンピュータ１０のソフトウェアやドライバの改造が不要である。
【００４４】
このようにして、コンピュータ操作者２０の感覚に頼ることで生じる誤操作を回避し、ソフトウェアやドライバを変更する必要もなく、ダブルクリック及びドラッグ＆ドロップの操作性を大幅に向上させることができる。
【００４５】
なお、上記実施形態では、ダブルクリックボタン及びドラッグ＆ドロップボタンをマウス左右ボタンと同一面でその後方側に配置しているが、本発明は必ずしもこれに限定されるものではなく、コンピュータ操作者が操作しやすい場所であればマウス上の何れの位置でも配置可能である。
【００４６】
また、ダブルクリックボタンとしては２パルス出力回路付きスイッチを例示しているが、これに限らず、１回の押下でダブルクリック動作に対応するＯＮ／ＯＦＦ動作信号に変換して出力可能なボタンであれば、いずれの構成のものでも適用可能である。
【００４７】
さらに、ドラッグ＆ドロップボタンとしてはオルタネイトスイッチを用いたボタンを例示しているが、これに限らず、１回目の押下でドロップ動作に対応するＯＮ／ＯＦＦ動作信号に変換して出力し且つ２回目の押下でドラッグ動作に対応するＯＮ／ＯＦＦ動作信号に変換して出力可能なボタンであれば、いずれの構成のものでも適用可能である。
【産業上の利用可能性】
【００４８】
以上説明したように、本発明は、ダブルクリック及びドラッグ＆ドロップ動作を行うマウス及びこれを用いたコンピュータシステムの用途に適用できる。
【図面の簡単な説明】
【００４９】
【図１】本発明の一実施形態に係るマウスを用いたコンピュータシステムの概要を示す図である。
【図２】図１に示すダブルクリック／ドラッグ＆ドロップボタン付きマウスの各ボタン配列を示す図である。
【図３】図１に示すダブルクリック／ドラッグ＆ドロップボタン付きマウスの内部構成を示す図である。
【図４】（ａ）は、ドラッグ＆ドロップボタンの１回目／２回目押下時の動作を説明するタイムチャート、（ｂ）は、ダブルクリックボタンの押下字の動作を説明するタイムチャートである。
【図５】ダブルクリックボタンを用いた場合のコンピュータの動作シーケンスを示すフローチャートである。
【図６】ドラッグ＆ドロップボタンを用いた場合のコンピュータの動作シーケンス図である。
【符号の説明】
【００５０】
１０  コンピュータ
１１  情報処理端末
１２  ダブルクリック／ドラッグ＆ドロップボタン付きマウス
２０  コンピュータ操作者
１００  マウス本体
１０１  マウス左ボタン
１０２  マウス右ボタン
１０３  ダブルクリックボタン
１０４  ドラッグ＆ドロップボタン
１０５  Ｉ／Ｆ（インターフェース）
【図１】
2006127389.tif 000003
【図２】
2006127389.tif 000004
【図３】
2006127389.tif 000005
【図４】
2006127389.tif 000006
【図５】
2006127389.tif 000007
【図６】
2006127389.tif 000008